(57)【要約】【課題】携帯端末装置のメニューのデータ部（アイコン、項目等）だけでなく、メニュー全体の表示構成（項目配置、メニューの表示／非表示の際のアニメーション等）の切り換えができるようにする。【解決手段】携帯端末装置のメインメニューのＵＩ表示部品２１１，２１２をプラグイン化し、かつメインメニュー・アプリケーション２００とＵＩ表示部品２０１との間のインタフェースとして機能する共通インタフェース部２０２を持たせ、メインメニュー・アプリケーション２００がその共通インタフェース部２０２を通じて動的にＵＩ表示部品２０１へアクセスできる構成とする。また、Ｗｅｂサイトからのダウンロード、又は外部記憶装置からのＵＩ表示部品２０３を追加できる構成とする。【選択図】図２
2007141064.tif 000002
【特許請求の範囲】
【請求項１】
表示部と、
該表示部に表示されるメニューの機能を実現させるメニュー・アプリケーション・プログラムと、
前記メニューのメニュー画面を表示するための複数のメニュー・プラグインを含むユーザ・インタフェース・モジュールと、
前記メニュー・アプリケーション・プログラム及び前記ユーザ・インタフェース・モジュールのインタフェースとして機能するインタフェース・モジュールと
を記憶する記憶部と、
前記ユーザ・インタフェース・モジュールの中から選択されたメニュー・プラグインを前記メニューのメニュー画面に設定する制御部と
を備えることを特徴とする携帯端末装置。
【請求項２】
前記制御部は、前記記憶部に記憶された第１のメニュー・プラグインを起動させた状態で前記メニュー・アプリケーション・プログラムを実行中に、第２のメニュー・プラグインが選択された場合、当該選択された第２のメニュー・プラグインを前記メニューのメニュー画面に設定する
ことを特徴とする請求項１に記載の携帯端末装置。
【請求項３】
前記メニュー・プラグインは、通信回線網を通じてあるいは外部記憶装置より取得して前記記憶部のユーザ・インタフェース・モジュールに追加される
ことを特徴とする請求項１に記載の携帯端末装置。
【請求項４】
前記メニュー・プラグインは、前記メニュー画面の各データ部分に加え、項目配置、メニューの表示／非表示の際のアニメーションを規定する情報を含む
ことを特徴とする請求項１に記載の携帯端末装置。
【請求項５】
表示部に表示させるメニューの機能を実現させるメニュー・アプリケーション・プログラムと、前記メニューのメニュー画面を表示するための複数のメニュー・プラグインを含むユーザ・インタフェース・モジュールと、前記メニュー・アプリケーション・プログラム及び前記ユーザ・インタフェース・モジュールのインタフェースとして機能するインタフェース・モジュールとにより携帯端末装置における前記メニューのメニュー画面を切り替えるメニュー表示切り替え方法であって、
前記メニュー・アプリケーション・プログラムを起動して前記表示部に第１のメニュー・プラグインによる第１のメニュー画面を表示するステップと、
前記第１のメニュー画面に表示されるメニュー切り替え項目の中から第２のメニュー・プラグインが選択されたかどうかを判定するステップと、
前記第２のメニュー・プラグインが選択された場合、当該選択された第２のメニュー・プラグインを前記メニューのメニュー画面に設定するステップとを有する
ことを特徴とするメニュー表示切り替え方法。
【発明の詳細な説明】
【技術分野】
【０００１】
本発明は、メニュー画面の切り替え機能を有する携帯端末装置及びメニュー表示切り替え方法に関する。
【背景技術】
【０００２】
従来、携帯電話機等の携帯端末装置のメニューにおいて、ユーザが好きなようにメニュー画面のアイコン、背景等を変更する（所謂「メニュー着せ替え機能」）といったことができるようになっている。しかし、従来のメニュー着せ替え機能は、メニュー画面のアイコン、項目、背景などのデータ部分しか変更できない、メニュー項目の配置、メニューの表示／非表示の際のアニメーションが変更できないといった問題がある。そのため、ユーザが使いやすいメニュー項目の配置にすることができなかった。
【０００３】
例えば携帯電話機は新機種発売のサイクルが比較的短く、新機種が発売される毎に機種を買い換えるユーザが存在するが、機種を変更した際、買い替え前の機種のメニュー操作に慣れているため買い替え後の機種のメニュー操作に関しては使いにくいと感じることがある。
【０００４】
従来このような不便を感じているユーザの操作性向上のために、いくつかの技術が存在する。それは、サーバ、もしくは予め携帯電話機に通常のメインメニュー以外に、あるカテゴリーに分類されているメインメニュー（例えば、ナビゲーション・システムのメニューなら地域毎のメニュー、エア・コンディショナーのメニューなら季節によって表示されるメニュー）を用意しておき、ユーザがその都度切り替えたり、季節、地域によって自動で切り替わるような技術が提案されている（例えば、特許文献１，２を参照。）。
【特許文献１】特開２００１−２８２８２４号公報
【特許文献２】特開平７−１６２９７５号公報
【発明の開示】
【発明が解決しようとする課題】
【０００５】
しかしながら、これらの従来技術は、メインメニュー・アプリケーションを丸ごと用意してそのメインメニュー・アプリケーションを入れ替えることによりメニューを切り替えていた。また、ダウンロード、外部記憶装置といった外部から追加することもできない。
【０００６】
従来のメインメニュー・アプリケーションとメインメニュー・コントロール（メニュー表示）との関係を図７に示す。図７において、メインメニュー・アプリケーション４００は、携帯電話機等の携帯端末装置のメインメニューに関するユーザからのキーイベント処理、他アプリケーションとの連携部分を担当するプログラムである。メインメニュー・コントロール４０２は、メインメニュー・アプリケーション４００のアイコン、項目などの表示、アニメーションの表示などを行なうＵＩ（ユーザ・インタフェース；User Interface）表示部品４０１を構成するものである。
【０００７】
従来、メインメニュー・アプリケーション４００は、メインメニュー・コントロール４０２とソフトウェア（メインメニュー・アプリケーション４００）起動時に静的にリンクしている。つまり、電源を入れると決まったコントロール（メニュー表示）が表示され、また携帯端末装置内に用意されたメニューにしか切り替えることができず、ユーザが本当に使いやすいメニューへと変更することができず、操作性の向上という点で不十分であった。
【０００８】
本発明は斯かる点に鑑みてなされたものであり、携帯端末装置のメニューのデータ部（アイコン、項目等）だけでなく、メニュー全体の表示構成（項目配置、メニューの表示／非表示の際のアニメーション等）の切り換えができるようにすることを目的とする。
【課題を解決するための手段】
【０００９】
上記課題を解決するため、本発明の携帯端末装置は、表示部と、該表示部に表示されるメニューの機能を実現させるメニュー・アプリケーション・プログラムと、メニューのメニュー画面を表示するための複数のメニュー・プラグインを含むユーザ・インタフェース・モジュールと、メニュー・アプリケーション・プログラム及びユーザ・インタフェース・モジュールのインタフェースとして機能するインタフェース・モジュールとを記憶する記憶部と、ユーザ・インタフェース・モジュールの中から選択されたメニュー・プラグインをメニューのメニュー画面に設定する制御部とを備えることを特徴とする。
【００１０】
上記構成によれば、携帯端末装置のメインメニューのＵＩ表示部品を構成するモジュールをプラグイン化し、かつメニュー・アプリケーション・プログラムとユーザ・インタフェース・モジュールとのインタフェースとして機能するインタフェース・モジュールを備える構成とすることにより、メニュー・アプリケーション・プログラムがインタフェース・モジュールを通じて動的にＵＩ表示部品、すなわちユーザ・インタフェース・モジュールの機能を利用することができる。
【００１１】
また、本発明のメニュー表示切り替え方法は、表示部に表示させるメニューの機能を実現させるメニュー・アプリケーション・プログラムと、メニューのメニュー画面を表示するための複数のメニュー・プラグインを含むユーザ・インタフェース・モジュールと、メニュー・アプリケーション・プログラム及びユーザ・インタフェース・モジュールのインタフェースとして機能するインタフェース・モジュールとにより携帯端末装置におけるメニューのメニュー画面を切り替えるメニュー表示切り替え方法であって、上記メニュー・アプリケーション・プログラムを起動して表示部に第１のメニュー・プラグインによる第１のメニュー画面を表示し、この第１のメニュー画面に表示されるメニュー切り替え項目の中から第２のメニュー・プラグインが選択されたかどうかを判定し、第２のメニュー・プラグインが選択された場合、当該選択された第２のメニュー・プラグインを上記メニューのメニュー画面に設定するようにする。
【００１２】
上記構成によれば、上記メニュー・アプリケーション・プログラムを起動して表示部に第１のメニュー・プラグインによる第１のメニュー画面を表示し、この第１のメニュー画面に表示されるメニュー切り替え項目の中から第２のメニュー・プラグインが選択された場合、当該選択された第２のメニュー・プラグインを上記メニューのメニュー画面に設定するようにしたので、メニュー・アプリケーション・プログラムがインタフェース・モジュールを通じてプラグイン化されたユーザ・インタフェース・モジュールを呼び出してその機能を利用でき、したがって、動的にＵＩ表示部品、すなわちユーザ・インタフェース・モジュールを切り替えることができる。
【発明の効果】
【００１３】
本発明によれば、メニュー・アプリケーション・プログラムがインタフェース・モジュールを通じて、動的にＵＩ表示部品、すなわちユーザ・インタフェース・モジュールを切り替えることができる。したがって、携帯端末装置のメニューのデータ部（アイコン、項目等）だけでなく、メニュー全体の表示構成（項目配置、メニューの表示／非表示の際のアニメーション等）の切り替えが実現可能である。
【発明を実施するための最良の形態】
【００１４】
以下、本発明の一実施の形態例について、図１〜図６を参照しながら説明する。本実施形態は、携帯端末装置の一例である携帯電話機のメニュー着せ替え機能について説明する。なお、携帯電話機の構成は一例であって、この例に限るものではない。
【００１５】
図１は、本発明による携帯端末装置の一実施の形態に係るブロック構成例を示す図である。携帯端末装置１００は、通信回路２と接続したアンテナ１を備え、制御部１０の制御で、携帯電話網の図示しない基地局との間でアンテナ１を介して電波の送信及び受信を行なう。通信回路２は基地局とやり取りする電波の変調及び復調を行なう。この通信回路２を通じて通話用の通信を行う際は、基地局から受信した音声データをスピーカ（音声出力部）４により電気信号から音声に変換して出力させ、またマイク（収音部）３で拾われた音声を電気信号に変換した音声データを通信回路２に供給して基地局へ送信する。
【００１６】
また携帯端末装置１００は、ジョグダイアルやキーパッドなどで構成された操作部６、液晶ディスプレイ（LCD；Liquid Crystal Display）などで構成された表示部７を備える。操作部６は、電話番号やメール文などの入力操作、各種モードの設定操作などが行える。なお、携帯端末装置を例えばカー・ナビゲーション・システムで使用される表示装置に適用した場合、操作部６は、タッチパネル等のポインティングデバイス、あるいはリモートコントローラなどとなる。
【００１７】
制御部１０は、例えばＣＰＵ（Central Processing Unit）等の演算制御装置（プロセッサ）からなり、図示しないＲＡＭ（Random Access Memory）を各種処理のための作業領域として使用し、図示しないＲＯＭ（Read Only Memory）に記録されている各コンピュータ・プログラムに従い、所定の処理を実行する。
【００１８】
ＴＶ制御部８は、ＴＶ用アンテナ２０９で受信したテレビジョン放送波に含まれるビデオ信号に対して、変調処理など所定の処理を行なう。
【００１９】
カメラ１２は、レンズ等の光学系及び撮像素子等の撮像系から構成され、静止画又は動画を撮影する機能を持つ装置である。
【００２０】
メモリ２０５は、フラッシュメモリ等の不揮発性メモリからなり、電話帳やスケージュール、メールメッセージ、画像、音楽、アプリケーションソフトウェア、ブックマーク、ウェブページ等、様々なデータ及びプログラムが格納される据え置き型記憶装置である。以下に述べるメニュー・アプリケーション・プログラムとその構成部品であるユーザ・インタフェース・モジュール及びインタフェース・モジュールも格納されている。
【００２１】
外部記憶装置１１は、例えば半導体メモリの一種であるメモリカードなどの着脱可能な記憶装置である。
【００２２】
制御ライン２５０は、これに接続されている各デバイスを制御する信号を流すためのライン（信号線）である。携帯端末装置１００内の幾つかのデバイスは制御ライン２５０を通じて制御部２２０と接続しており、制御部２２０の制御により各デバイスでの処理が行われる。またデータライン２６０は、これに接続されているデバイス間でデータ転送を行なうためのライン（信号線）である。
【００２３】
図２は、本発明を実現するためのモジュール構成を示した概略図である。本発明によるメニュー画面の切り替えを実現するため、メインメニュー・アプリケーション２００と、ＵＩ（ユーザ・インタフェース）表示部品２０１と、共通インタフェース部２０２から構成される。
【００２４】
メインメニュー・アプリケーション２００は、携帯電話機等の携帯端末装置のメインメニューに関するユーザからのキーイベント処理、他アプリケーションとの連携部分を担当するプログラムである。
【００２５】
ＵＩ表示部品２０１は、複数のメニュー・プラグイン２１１、２１２・・・から構成されるユーザ・インタフェース・モジュールであり、各メニュー・プラグインは、メインメニュー・アプリケーション２００のアイコン、項目などの表示、アニメーションの表示などを行なうコントロール部をプラグイン化したものである。メニュー・プラグインを切り替えることにより、メニュー画面のメニュー表示構成全体を取り替えることができる。ここで、プラグイン化とは、プログラムが起動中にメインメニュー・アプリケーション２００から必要なときにメニュー・プラグインへリンクしたり、不必要になったときはアンロードしたりできるようにすることである。
【００２６】
図２に示したメニュー・プラグイン２０３は、インターネット（もしくは通信回線網）上のウェブ（Ｗｅｂ；World Wide Web）サイトからダウンロードする、あるいは外部記憶装置１１といった外部から取得するなどの手法によって、外部からＵＩ表示部品２０１へメニュー・プラグインを追加できることを示している。
【００２７】
共通インタフェース部２０２は、プログラム間でデータをやり取りする手順や形式等の規約を定めたソフトウェア・インターフェースとして機能するモジュールであり、メインメニュー・アプリケーション２００から見えているメニュー・プラグインを、共通インタフェース部２０２を介してメインメニュー・アプリケーション２００で利用することができる。このようなソフトウェア・インターフェースは、ＡＰＩ（Application Program Interface）などとも呼ばれる。
【００２８】
これらメインメニュー・アプリケーション２００、ＵＩ表示部品２０１及び共通インタフェース部２０２は、メモリ５に格納される。
【００２９】
図７に示したメインメニュー・アプリケーション４００のアイコン、項目などの描画は、ユーザ・インタフェース表示部分であるメインメニュー・コントロール４０２で行われている。メインメニューのアイコン、項目などの描画を一括で取り替えるには、ユーザ・インタフェース表示部分であるメインメニュー・コントロール４０２をメインメニュー・アプリケーション４００が起動している間に、動的に切り替えることができればよい。しかし、図７に示した構成では、動的に取り替えることはできない。
【００３０】
そこで、従来のメインメニュー・コントロールをプラグイン化し、図２に示すように、メニュー・プラグイン２１１，２１２・・・には共通インタフェース部２０２を持たせることで、メインメニュー・アプリケーション２００が共通インタフェース部２０２を通じて、各メニュー・プラグイン２１１，２１２に動的にアクセス（接続）できるようなフレームワーク（動作環境）を実現する。メニュー表示構成全体は切り替わるが、メインメニュー・アプリケーション２００は変わらないので、メインメニューとしての機能は変化しない。
【００３１】
このメニュー・プラグイン２１１，２１２・・・の保存先を制限しないことで、例えばメモリカードなどの外部記憶装置１１、Ｗｅｂサイトからのダウンロードなど外部からメニュー・プラグイン２１１，２１２・・・の追加を可能にしている。そして、メニュー・プラグイン２１１，２１２・・・を追加後、メインメニュー・アプリケーション２００に再度メニュー・プラグイン２１１，２１２・・・をロードし直すことにより、ユーザが切り替えることができるメニュー・プラグインを増やすことができ、ユーザはより多くのメニューを選択することが可能になる。
【００３２】
次に、図１及び図２に示した構成の携帯端末装置による動作を、図３及び図４のフローチャートを参照して説明する。
【００３３】
図３は、メニュー切り替え処理を示すフローチャートである。まず、携帯端末装置の電源ボタンを押して、携帯端末装置を起動させ、メニュー・プラグイン２１１，２１２・・・を予め全て、ＲＡＭにロードする（ステップＳ２０１）。その後、（携帯電話機の）待ち受け画面が起動する（ステップＳ２）。メニューキーが押されたことを感知して（ステップＳ３）、図５Ａに示すようなメインメニューを表示部７に表示する（ステップＳ４）。
【００３４】
図５Ａに示すメインメニューの切り替え前メニュー画面３００は、コントロール（操作表示）として、画面左半分にエンターテイメント３０１、メール３０２、ｉモード（登録商標）３０３、ｉアプリ（登録商標）３０４、電話３０５、電卓３０６が、画面右半分にマイメニュー３０７、カメラ３０８、動画撮影３０９、メモリカード３１０のアイコンがそれぞれ表示されている。現在はエンターテイメント３０１が選択されておりカーソル３１１が表示されている。画面下方には、切り替えキー３１２、メニュー閉キー３１３、カーソルキー等が表示されている。
【００３５】
携帯端末装置の制御部１０は、メインメニュー・アプリケーション２００のメニュー画面３００にて切り替えキー３１２が押下されたか否かを監視し（ステップＳ５）、切り替えキー３１２が押下されたことを検出すると、図６に示すようなメニュー切り替え項目を列挙したプルダウンメニュー３８０を表示する（ステップＳ６）。ユーザはその項目の中から切り替えたい項目（メニュー）を選択する。このプルダウンメニュー３８０に表示される各メニュー切り替え項目は、ＵＩ表示部品２０１を構成しているメニュー・プラグイン２１１，２１２・・・を指している。
【００３６】
図６に示すメニュー切り替え項目表示例では、プルダウンメニュー３８０として、「MainMenu_Ver.PTX807」、「NewMainMenu_Ver.1」、「NewMainMenu_Ver.2」の３つの項目３８１，３８２，３８３が表示されている。閉じるキー３８４で、プルダウンメニュー３８０を閉じる。
【００３７】
上記プルダウンメニュー３８０においてメニュー切り替え項目が選択されたかどうかを監視し（ステップＳ７）、いずれかのメニュー切り替え項目が選択された場合、制御部１０はメインメニューを終了して待ち受け画面に戻る（ステップＳ８）。
【００３８】
そして、待ち受け画面から再度メインメニューを起動させると、先程選択したメニュー項目がメインメニューのメニュー画面（図５Ｂ参照）として表示され、メニュー画面の切り換えが完了する（ステップＳ９）。
【００３９】
なお、上記メインメニューの終了及び再起動の処理は、その場で行わずに後で行ってもよい。その場合勿論、メニュー画面の切り替え完了はメインメニューの終了及び再起動の処理が終了した後となる。
【００４０】
図５Ｂは、図５Ａに示したメインメニューのメニュー画面を切り替えた後のメニュー画面の例である。図５Ｂに示すメインメニューの切り替え後メニュー画面３５０は、コントロール（操作表示）として、画面横方向にエンターテイメント３５１、メール３５２、ｉモード（登録商標）３５３、ｉアプリ（登録商標）３５４、電話３５５、電卓３５６が、画面縦方向にマイメニュー３５７、カメラ３５８、動画撮影３５９のアイコンがそれぞれ表示されている。現在はエンターテイメント３０１が選択されておりカーソル３６１内に「エンターテイメント」の文字が表示されている。画面下方には、切り替えキー３６２、メニュー閉キー３６３、カーソルキー等が表示されている。
【００４１】
また、図５Ｂのメニュー画面には背景にカメレオン３７０が表示されている。これは、カメレオンメニュー３８０の中からメニュー項目を選択したからであり、カメレオンが表示されるように設定されているからである。図５Ａと図５Ｂを比較すると、アイコンの配列や背景のデザインなど、画面全体の表示構成は変更されているが、機能は変化せず同一である。
【００４２】
図４は、メニュー・プラグイン追加処理を示すフローチャートである。まず、携帯端末装置からＷｅｂサイト、外部記憶装置１１等に接続する（ステップＳ１１）。そして、Ｗｅｂサイト上の切り替えメニュー項目、又は外部記憶装置１１などの外部に格納されている切り替えメニュー項目を選択し（ステップＳ１２）、Ｗｅｂサイトであればダウンロード、外部記憶装置１１などの外部であればロードにより、選択した切り替え項目メニューに対応するメニュー・プラグインを携帯端末装置に取り込みメモリ５に保存する（ステップＳ１３）。次に、メインメニュー・アプリケーション２００へメニュー・プラグインを再ロードすると（ステップＳ１４）、切り替えメニュー項目を選択するためのプルダウンメニュー３８０（図６参照）に切り替えメニュー項目が追加される（ステップＳ１５）。
【００４３】
上記処理により、ユーザが切り替えるもしくは選択することができる切り替えメニュー項目を増やすことができる。
【００４４】
以上説明した構成によれば、携帯端末装置のメインメニューのＵＩ表示部品をプラグイン化し、かつ共通インタフェース部を持たせることで、メインメニュー・アプリケーションがそのインタフェースを通じて動的にＵＩ表示部品へアクセスできる構成としたので、ユーザが思いのままに携帯端末装置のメインメニューのメニュー画面の切り替えを行なうことができる。
【００４５】
また、メインメニューのメニュー画面のアイコン、背景といったデータ部、項目配置、メニューの表示／非表示の際のアニメーション等を一括で切り替えることができる。
【００４６】
また、ユーザは使い慣れたメニュー画面（メニュー操作）に切り替えることが容易にでき、機種変更時のメニュー操作の違いから生じるイライラ感を解消できる。例えば、数年後には携帯電話機のナンバーポータビリティの導入が予定されている。ナンバーポータビリティとは、携帯電話の加入者が別の事業者(キャリア)に契約を切り替えても、元の番号がそのまま使える制度及びシステムである。このような他の事業者（キャリア）からの乗り換えの際には、本発明を利用して、以前の携帯電話機で使用していたメニュー・プラグインを現在の携帯電話機に取り込んで、簡単に乗り換え前のメニュー（メニュー操作）に切り替えることができるので、ユーザの使い勝手が格段に向上する。
【００４７】
また、ユーザはメインメニューのＵＩ表示部品（メニュー・プラグイン）を、Ｗｅｂサイトなどからのダウンロードにより、また外部記憶装置といった外部から自由に追加でき、ユーザが好みのメニュー画面を簡単に追加することができる。
【００４８】
また、携帯端末装置の開発環境が整えば、ユーザが自らメインメニューのＵＩ表示部品（メニュー・プラグイン）を作成することも可能である。
【００４９】
なお、本発明は、例えばポータブル・オーディオ・プレーヤのメニュー表示の切り替え、カー・ナビゲーション・システムのメニュー表示の切り替えなど、種々の携帯端末装置のメニュー表示の切り替えに適用できる。
【００５０】
また、本発明は、上述した各実施の形態例に限定されるものではなく、本発明の要旨を逸脱しない範囲において、種々の変形、変更が可能であることは勿論である。
【図面の簡単な説明】
【００５１】
【図１】本発明による携帯端末装置の一実施の形態に係るブロック構成例を示す図である。
【図２】本発明の一実施の形態に係るモジュール構成を示す概略図である。
【図３】本発明の一実施の形態に係るメニュー切り替え処理のフローチャートを示す図である。
【図４】本発明の一実施の形態に係るメニュー・プラグイン追加処理を示すフローチャートである。
【図５】本発明の一実施の形態に係るメニュー切り替え前後の表示例を示す図である。
【図６】本発明の一実施の形態に係るメニュー切り替え項目の表示例である。
【図７】従来技術の説明に供する図である。
【符号の説明】
【００５２】
１…アンテナ、２…通信回路、５…メモリ（記憶部）、７…表示部、１０…制御部、１１…外部記憶装置、１００…携帯端末装置、２００…メインメニュー・アプリケーション、２０１…ＵＩ表示部品（ユーザ・インタフェース・モジュール）、２０２…共通インタフェース部（インタフェース・モジュール）、２０３，２１１，２１２…メニュー・プラグイン、
３００…切り替え前メニュー画面、３１２…切り替えボタン、３５０…切り替え後メニュー画面、３６２…切り替えボタン、３８０…プルダウンメニュー
【図１】
2007141064.tif 000003
【図２】
2007141064.tif 000004
【図３】
2007141064.tif 000005
【図４】
2007141064.tif 000006
【図５】
2007141064.tif 000007
【図６】
2007141064.tif 000008
【図７】
2007141064.tif 000009